(57)【要約】【課題】  レンズの駆動に伴う騒音の記録を回避することのできるデジタルカメラ及び動画撮影方法を得る。【解決手段】  ＣＰＵ３２により、デジタルカメラ１０において音声情報の記録を伴った動画撮影を行っているときに、操作部５６に対する操作によってユーザからのＡＦ（自動合焦）制御及び光学ズーム動作の少なくとも一方の実行指示が入力されたとき、当該動画撮影を一時的に停止し、当該停止期間に上記実行指示に応じた動作を行うように制御する。【選択図】        図２
2005080250.tif 000002
【特許請求の範囲】
【請求項１】
音声情報の記録を伴った動画撮影を行う機能を有するデジタルカメラであって、
前記動画撮影を行っているときに合焦制御及び光学ズーム動作の少なくとも一方の実行指示を入力するための指示入力手段と、
前記指示入力手段によって前記実行指示が入力されたとき、前記動画撮影を一時的に停止し、当該停止期間に前記実行指示に応じた動作を行うように制御する制御手段と、
を備えたデジタルカメラ。
【請求項２】
第１操作で撮影準備動作の実行指示を入力する第１入力手段、及び前記第１操作に連続して行われる第２操作で撮影動作の実行指示を入力する第２入力手段を有した撮影指示入力手段を更に備え、
前記指示入力手段を、前記撮影指示入力手段における前記第１入力手段と兼用にした
請求項１記載のデジタルカメラ。
【請求項３】
前記制御手段は、前記指示入力手段によって光学ズーム動作の実行指示が入力された場合に、前記撮影指示入力手段の前記第１入力手段に対する操作が行われた時点で当該光学ズーム動作の実行が終了したものと判断する
請求項２記載のデジタルカメラ。
【請求項４】
前記制御手段は、更に、前記動画撮影に際し、絞り値を撮影条件に応じた最大値とする絞り優先自動露出制御が実行されるように制御する
請求項１乃至請求項３の何れか１項記載のデジタルカメラ。
【請求項５】
音声情報の記録を伴った動画撮影を行う機能を有するデジタルカメラにおける動画撮影方法であって、
前記動画撮影を行っているときに合焦制御及び光学ズーム動作の少なくとも一方の実行指示が入力されたとき、前記動画撮影を一時的に停止し、当該停止期間に前記実行指示に応じた動作を行うように制御する
動画撮影方法。
【発明の詳細な説明】
【技術分野】
【０００１】
本発明は、デジタルカメラ及び動画撮影方法に係り、特に、音声情報の記録を伴った動画撮影を行う機能を有するデジタルカメラ及び当該デジタルカメラの動画撮影方法に関する。
【背景技術】
【０００２】
近年、ＣＣＤ（Charge Coupled Device）、ＣＭＯＳ（Complementary Metal Oxide Semiconductor）イメージ・センサ等の撮像素子の高解像度化に伴い、デジタルカメラの需要が急増している。また、最近では、音声情報の記録を伴った動画撮影を行うことのできるデジタルカメラも多数製品化されている。
【０００３】
ところで、この種のデジタルカメラには、ＡＦ（Auto Focus、自動合焦）機能が設けられているものが多く、当該ＡＦ機能による合焦動作（以下、「ＡＦ動作」という。）は、一般に、被写体像を結像するために設けられているレンズの位置を調整することによって行われる。
【０００４】
従って、この種のデジタルカメラにおいて音声情報の記録を伴った動画撮影を行った場合には、ＡＦ動作によるレンズの位置を調整するためのモータの駆動音や、当該モータからレンズに至る伝達機構の駆動音が騒音として動画像と同時に記録されてしまう。
【０００５】
特に、近年のデジタル電子スチルカメラやデジタルビデオカメラは小型化が進んでおり、これら騒音の発生源と音声マイクとの距離が非常に短くなっているため、当該騒音が無視できないほど大きなものとなってしまう場合が多い。
【０００６】
この問題点を解消するために、特許文献１には、音声記録を伴う動画撮影時に、動画撮影の開始前に合焦制御を行い、動画撮影の実行時には合焦ずれ量を判断し、当該合焦ずれ量が許容範囲外になった際に当該合焦ずれ量に応じた表示を行い、これに応じて合焦制御の実行指示が所定キーの操作によって為された場合に合焦制御を行う技術が開示されている。
【０００７】
この技術によれば、動画撮影時において自動的に実行するＡＦ動作を禁止しているので、ＡＦ動作に伴うレンズ駆動音がノイズとして音声記録されることを抑制することができる。
【特許文献１】特開２００２−１０１２３公報
【発明の開示】
【発明が解決しようとする課題】
【０００８】
しかしながら、上記特許文献１に係る技術では、動画撮影時における自動的なＡＦ動作を禁止しているので、当該ＡＦ動作による騒音の記録を回避することはできるものの、合焦制御の実行指示が所定キーの操作によって為された場合には合焦制御を行うことになるため、この場合における合焦制御による騒音が記録されてしまう、という問題点があった。
【０００９】
一方、近年のデジタルカメラには、ズームレンズを搭載し、当該ズームレンズによる光学ズーム機能を搭載したものも多数製品化されているが、この種のデジタルカメラにおいて動画撮影時に光学ズームのズーム倍率を変更する際にも、ズームレンズ駆動用のモータの駆動音や、当該モータからレンズに至る伝達機構の駆動音が騒音として動画像と同時に記録されてしまう場合がある。
【００１０】
しかしながら、上記特許文献１に係る技術では、光学ズームによるズーミング時の騒音については何ら考慮されていないため、ズームレンズの駆動による騒音が記録されてしまう、という問題点もあった。
【００１１】
本発明は上記問題点を解消するためになされたものであり、レンズの駆動に伴う騒音の記録を回避することのできるデジタルカメラ及び動画撮影方法を提供することを目的とする。
【課題を解決するための手段】
【００１２】
上記目的を達成するために、請求項１記載のデジタルカメラは、音声情報の記録を伴った動画撮影を行う機能を有するデジタルカメラであって、前記動画撮影を行っているときに合焦制御及び光学ズーム動作の少なくとも一方の実行指示を入力するための指示入力手段と、前記指示入力手段によって前記実行指示が入力されたとき、前記動画撮影を一時的に停止し、当該停止期間に前記実行指示に応じた動作を行うように制御する制御手段と、を備えている。
【００１３】
請求項１に記載のデジタルカメラによれば、音声情報の記録を伴った動画撮影が行われているときに合焦制御及び光学ズーム動作の少なくとも一方の実行指示を入力するための指示入力手段によって当該実行指示が入力されたとき、制御手段により、上記動画撮影が一時的に停止され、当該停止期間に上記実行指示に応じた動作が行われるように制御される。
【００１４】
このように、請求項１に記載のデジタルカメラによれば、音声情報の記録を伴った動画撮影を行っているときに合焦制御及び光学ズーム動作の少なくとも一方の実行指示が入力されたとき、当該動画撮影を一時的に停止し、当該停止期間に上記実行指示に応じた動作を行うように制御しているので、上記実行指示に応じた動作を行う際のレンズの駆動に伴う騒音の記録を回避することができる。
【００１５】
なお、本発明では、指示入力手段により実行指示が入力されて合焦制御及び光学ズーム動作の少なくとも一方が実行された場合には、当該実行期間における動画の記録が中断されることになるが、当該動画は以下に説明するように余り意味のないものであるので、特に問題になることはない。
【００１６】
すなわち、合焦ずれが生じたために合焦制御を行う際には、焦点が合わない状態から焦点が合う状態に徐々に移行するため、当該合焦制御の実行中における動画は記録しても余り意味のないものとなる。また、動画撮影時における光学ズームのズーム倍率の変更時には、所望のズーム倍率となるまでの期間は画像の撮影倍率が変動しているため、当該期間における動画は記録しても余り意味のないものとなる。
【００１７】
なお、動画撮影を行う際には撮影シーンを切り替えることが度々行われるが、各撮影シーンの切り替え時に本発明の指示入力手段による実行指示の入力を行うようにすれば、違和感のない動画記録を行うことができ、好ましい。
【００１８】
また、本発明は、請求項２に記載の発明のように、第１操作で撮影準備動作の実行指示を入力する第１入力手段、及び前記第１操作に連続して行われる第２操作で撮影動作の実行指示を入力する第２入力手段を有した撮影指示入力手段を更に備え、前記指示入力手段を、前記撮影指示入力手段における前記第１入力手段と兼用にすることが好ましい。これによって、撮影指示入力手段に対する動画の撮影動作の実行指示を入力するための操作からの連続した操作によって、合焦制御及び光学ズーム動作の少なくとも一方の実行指示を入力することができるようになり、当該実行指示を操作性よく、かつ短時間で入力することができるようになる。
【００１９】
また、請求項２に記載の発明における前記制御手段は、請求項３に記載の発明のように、前記指示入力手段によって光学ズーム動作の実行指示が入力された場合に、前記撮影指示入力手段の前記第１入力手段に対する操作が行われた時点で当該光学ズーム動作の実行が終了したものと判断することが好ましい。これによって、光学ズーム動作の実行終了を、操作性よく、かつ短時間で指示入力することができるようになる。
【００２０】
更に、本発明の前記制御手段は、請求項４に記載の発明のように、前記動画撮影に際し、絞り値を撮影条件に応じた最大値とする絞り優先自動露出制御が実行されるように制御することが好ましい。これによって、被写界深度を最大限に深くすることができ、合焦ずれ量を大幅に抑制することができるので、合焦制御の実行頻度を大幅に低減することができ、この結果として動画撮影の連続撮影期間を長時間化することができる。
【００２１】
一方、上記目的を達成するために、請求項５記載の動画撮影方法は、音声情報の記録を伴った動画撮影を行う機能を有するデジタルカメラにおける動画撮影方法であって、前記動画撮影を行っているときに合焦制御及び光学ズーム動作の少なくとも一方の実行指示が入力されたとき、前記動画撮影を一時的に停止し、当該停止期間に前記実行指示に応じた動作を行うように制御するものである。
【００２２】
従って、請求項５に記載の動画撮影方法によれば、請求項１に記載の発明と同様にデジタルカメラを作用させることができるので、請求項１記載の発明と同様に、レンズの駆動に伴う騒音の記録を回避することができる。
【発明の効果】
【００２３】
本発明に係るデジタルカメラ及び動画撮影方法によれば、音声情報の記録を伴った動画撮影を行っているときに合焦制御及び光学ズーム動作の少なくとも一方の実行指示が入力されたとき、当該動画撮影を一時的に停止し、当該停止期間に上記実行指示に応じた動作を行うように制御しているので、上記実行指示に応じた動作を行う際のレンズの駆動に伴う騒音の記録を回避することができる、という効果が得られる。
【発明を実施するための最良の形態】
【００２４】
以下、図面を参照して、本発明を実施するための最良の形態について詳細に説明する。なお、ここでは、本発明を静止画撮影機能及び音声情報の記録を伴った動画撮影機能を有するデジタルカメラに適用した場合について説明する。
【００２５】
〔第１の実施の形態〕
まず、図１を参照して、本形態に係るデジタルカメラ１０の外観上の構成を説明する。同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際にユーザによって押圧操作されるレリーズボタン５６Ａと、電源スイッチ５６Ｂと、が備えられている。
【００２６】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が、内蔵された２つのスイッチにより検出可能に構成されている。ここで、当該２つのスイッチが本発明の第１入力手段及び第２入力手段に相当するものであり、詳細には、半押し状態を検出するためのスイッチが本発明の第１入力手段に、全押し状態を検出するためのスイッチが本発明の第２入力手段に、各々相当する。
【００２７】
そして、本実施の形態に係るデジタルカメラ１０では、レリーズボタン５６Ａを半押し状態にすることによりＡＥ（Automatic Exposure、自動露出）機能が働いて露出状態（シャッター速度、絞りの状態）が設定された後、ＡＦ機能が働いて合焦制御され、その後、引き続き全押し状態にすると露光（撮影）が行われる。
【００２８】
なお、本実施の形態に係るデジタルカメラ１０は、指定されたシャッター速度値と被写体の明るさによって適正な絞り値が自動的に決定されるシャッター優先ＡＥモードと、指定された絞り値と被写体の明るさによってシャッター速度が自動的に決定される絞り優先ＡＥモードの何れかのモードが選択的に設定可能とされており、ＡＥ機能が働く場合は、設定されているＡＥモードにて露出状態が設定されることになる。
【００２９】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、静止画像の撮影を行うモードである静止画撮影モード、動画像の撮影を行うモードである動画撮影モード、及び被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キー及び当該４つの矢印キーの中央部に位置された決定キーの合計５つのキーを含んで構成された十字カーソルボタン５６Ｄと、が備えられている。
【００３０】
また、デジタルカメラ１０の背面には、ＬＣＤ３０にメインメニュー画面を表示する際に押圧操作されるメニューキー５６Ｅと、撮影時に被写体像のズーミング（拡大及び縮小）を行う際に操作されるズームスイッチ５６Ｆと、が備えられている。なお、ズームスイッチ５６Ｆは、同図の‘Ｔ’の位置に対応し、かつ被写体像を拡大するときに操作されるテレ・スイッチと、同図の‘Ｗ’の位置に対応し、かつ被写体像を縮小するときに操作されるワイド・スイッチと、により構成されている。
【００３１】
次に、図２を参照して、本実施の形態に係るデジタルカメラ１０の電気系の構成を説明する。
【００３２】
同図に示すように、デジタルカメラ１０は、前述のレンズ１２を含んで構成された光学ユニット１３と、レンズ１２の光軸後方に配設された電荷結合素子（以下、「ＣＣＤ」という。）１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３３】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３４】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を備えている。なお、画像入力コントローラ２０の入力端子はＡＤＣ１８の出力端子に接続されている。
【００３５】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像の輝度の高周波成分を示すＡＦ評価値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、を備えている。
【００３６】
更に、デジタルカメラ１０は、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、スマートメディア（Smart Media(R)）により構成された記録メディア４２Ａをデジタルカメラ１０でアクセス可能とするためのメディアコントローラ４２と、音声をアナログ音声信号に変換するマイク６０と、マイク６０により得られたアナログ音声信号をデジタル音声データに変換するＡＤＣ６２と、を備えている。
【００３７】
以上の画像入力コントローラ２０、画像信号処理回路２２、圧縮・伸張処理回路２４、表示制御回路２８、ＣＰＵ３２、ＡＦ検出回路３４、ＡＥ・ＡＷＢ検出回路３６、第１メモリ３８、第２メモリ４０、メディアコントローラ４２及びＡＤＣ６２は、各々バスＢＵＳを介して相互に接続されている。
【００３８】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、第１メモリ３８及び第２メモリ４０へのアクセスと、メディアコントローラ４２を介した記録メディア４２Ａへのアクセスと、マイク６０及びＡＤＣ６２を介したデジタル音声データの取得と、を各々行うことができる。
【００３９】
一方、デジタルカメラ１０には、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００４０】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００４１】
本実施の形態に係るレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４２】
ＣＰＵ３２は、光学ズーム倍率を変更する際にはズームモータを駆動制御してレンズ１２の焦点距離を変化させる。
【００４３】
また、ＣＰＵ３２は、ＣＣＤ１４による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００４４】
更に、前述のレリーズボタン５６Ａ、電源スイッチ５６Ｂ、モード切替スイッチ５６Ｃ、十字カーソルボタン５６Ｄ、メニューキー５６Ｅ及びズームスイッチ５６Ｆを含む操作部５６はＣＰＵ３２に接続されており、ＣＰＵ３２は、これらの操作部５６に含まれる各部に対する操作状態を常時把握できる。
【００４５】
次に、本実施の形態に係るデジタルカメラ１０の撮影時における全体的な動作について簡単に説明する。
【００４６】
まず、ＣＣＤ１４による光学ユニット１３を介した撮像が行われ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００４７】
画像入力コントローラ２０は内蔵しているラインバッファにＡＤＣ１８から順次入力されるデジタル画像データを蓄積して一旦第２メモリ４０の所定領域に格納する。
【００４８】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００４９】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００５０】
ここで、静止画撮影モードが設定されている場合、レリーズボタン５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４２Ａに記録する。
【００５１】
一方、動画撮影モードが設定されている場合には、レリーズボタン５６Ａが全押し状態とされたタイミングで、その時点から第２メモリ４０に格納されるＹＣ信号を、所定期間毎に時系列で圧縮・伸張処理回路２４により所定の圧縮形式（本実施の形態では、Ｍｏｔｉｏｎ  ＪＰＥＧ形式）で圧縮した後にメディアコントローラ４２を介して記録メディア４２Ａに順次記録していき、再度レリーズボタン５６Ａが全押し状態とされたタイミングで、当該記録動作を終了する。
【００５２】
以上がデジタルカメラ１０の撮影時における全体的な動作の簡単な流れであるが、次に、本発明に特に関係する動画撮影モードが設定されている場合の動作について、図３を参照しつつ更に詳細に説明する。なお、図３は、モード切替スイッチ５６Ｃにより動画撮影モードが設定されている場合にＣＰＵ３２によって実行される動画撮影モード処理プログラムの処理の流れを示すフローチャートである。
【００５３】
まず、ステップ１００では、ＡＥモードとして、撮影環境や設定条件等の撮影条件に応じた最大の絞り値（絞りが最も絞られた状態）となる絞り優先ＡＥモードを設定する。これにより、これ以降に行われるＡＥ動作では、絞りの開口面積が撮影条件に応じて最小とされた状態でシャッター速度が決定されることになる。従って、以降の撮影における被写界深度を撮影条件に応じた最大の深度とすることができ、合焦ずれに応じたＡＦ動作の実行頻度を最小限に抑えることができる。
【００５４】
例えば、図４に示すように、デジタルカメラ１０において設定可能な露出条件として、シャッター速度がＢ−２からＢ＋２までの５段階で、絞り値がＡ−２からＡ＋２までの５段階である場合、撮影条件に応じた露出値（所謂ＥＶ値）が同図の直線で示されるときの選択条件は、絞り値が当該露出値を示す最大値のＡ＋２で、シャッター速度が当該露出値を示す最低速度のＢ−２となる。
【００５５】
次のステップ１０２では、レリーズボタン５６Ａが半押し状態とされるまで待機し、次のステップ１０４では、上記ステップ１００において設定された絞り優先ＡＥモードでのＡＥ動作を行うことにより露出状態を設定し、次のステップ１０６にてＡＦ動作を行うことにより合焦制御を行う。
【００５６】
次のステップ１０８では、レリーズボタン５６Ａが半押し状態から全押し状態に移行したか否かを判定し、否定判定となった場合はステップ１１０に移行して、レリーズボタン５６Ａが未押下状態に復帰したか否かを判定し、否定判定となった場合は上記ステップ１０８に戻り、肯定判定となった場合には上記ステップ１０２に戻る。また、上記ステップ１０８において肯定判定となった場合にはステップ１１２に移行する。
【００５７】
以上のステップ１０２〜ステップ１１０の繰り返し処理により、レリーズボタン５６Ａが半押し状態とされたタイミングで絞り優先ＡＥモードによるＡＥ制御が行われた後にＡＦ制御が行われ、その後レリーズボタン５６Ａが半押し状態から全押し状態に移行された場合は動画撮影を開始するべくステップ１１２に移行し、レリーズボタン５６Ａが半押し状態から未押下状態に復帰した場合にはレリーズボタン５６Ａに対する操作待ちが行われることになる。
【００５８】
ステップ１１２では、第２メモリ４０に格納されるＹＣ信号を、所定期間（本実施の形態では、１／２０秒）毎に時系列で圧縮・伸張処理回路２４により圧縮した後に記録メディア４２Ａに記録する動画撮影を開始する。
【００５９】
次のステップ１１４では、レリーズボタン５６Ａが半押し状態とされるまで待機し、次のステップ１１６では、レリーズボタン５６Ａが半押し状態から全押し状態に移行したか否かを判定し、否定判定となった場合はステップ１１８に移行する。
【００６０】
ステップ１１８では、レリーズボタン５６Ａが未押下状態に復帰したか否かを判定し、否定判定となった場合は上記ステップ１１６に戻り、肯定判定となった場合には、ユーザによりＡＦ制御の実行指示が入力されたものと見なしてステップ１２０に移行する。すなわち、本実施の形態に係るデジタルカメラ１０では、動画撮影モードによる撮影中にレリーズボタン５６Ａを半押し状態とすることによって、ＡＦ制御の実行指示を行うものとして構成されている。
【００６１】
ステップ１２０では、図５に示されるＡＦ設定処理ルーチンを実行する。本実施の形態に係るＡＦ設定処理ルーチンでは、まず、ステップ２００にて動画撮影を一時的に停止し、次のステップ２０２にてＡＦ動作を行うことにより合焦制御を行う。
【００６２】
そして、合焦制御が終了した後にステップ２０４にて上記ステップ２００において停止した動画撮影を再開し、その後に本ＡＦ設定処理ルーチンを終了して動画撮影モード処理プログラムのステップ１１４に移行する。
【００６３】
一方、上記ステップ１１６において肯定判定となった場合、すなわち、レリーズボタン５６Ａが半押し状態から全押し状態に移行した場合には、ユーザにより動画撮影の終了の指示が入力されたものと見なしてステップ１２２に移行し、動画撮影を終了した後に本動画撮影モード処理プログラムを終了する。
【００６４】
なお、デジタルカメラ１０の静止画撮影モードが設定されている場合と、再生モードが設定されている場合の動作は、通常のデジタルカメラと同様であるので、ここでの詳細な説明は省略する。
【００６５】
以上詳細に説明したように、本実施の形態では、音声情報の記録を伴った動画撮影を行っているときにＡＦ制御の実行指示が入力されたとき、当該動画撮影を一時的に停止し、当該停止期間に上記実行指示に応じたＡＦ制御のための動作を行うように制御しているので、ＡＦ制御を行う際のレンズの駆動に伴う騒音の記録を回避することができる。
【００６６】
また、本実施の形態では、第１操作で撮影準備動作の実行指示を入力する第１入力手段、及び前記第１操作に連続して行われる第２操作で撮影動作の実行指示を入力する第２入力手段を有したレリーズボタン５６Ａの上記第１入力手段を、上記ＡＦ制御の実行指示を入力する手段と兼用にしたので、レリーズボタン５６Ａに対する動画の撮影動作の実行指示を入力するための操作からの連続した操作によってＡＦ制御の実行指示を入力することができ、当該実行指示を操作性よく、かつ短時間で入力することができる。
【００６７】
更に、本実施の形態では、動画撮影に際し、絞り値を撮影条件に応じた最大値とする絞り優先ＡＥ制御が実行されるように制御しているので、被写界深度を最大限に深くすることができ、合焦ずれ量を大幅に抑制することができるため、ＡＦ制御の実行頻度を大幅に低減することができ、この結果として動画撮影の連続撮影期間を長時間化することができる。
【００６８】
〔第２の実施の形態〕
上記第１の実施の形態では、動画撮影の最中にユーザによってＡＦ制御の実行指示が入力されたときに当該動画撮影を一時的に停止してＡＦ制御を行う場合の形態について説明したが、本第２の実施の形態では、動画撮影の最中にユーザによって光学ズーム動作の実行指示が入力されたときに当該動画撮影を一時的に停止して光学ズーム動作のための制御を行う場合の形態について説明する。なお、本形態に係るデジタルカメラの構成は、上記第１の実施の形態に係るデジタルカメラ１０と同様であるので、ここでの説明は省略する。また、本形態に係るデジタルカメラ１０の動画撮影モードが設定されている場合以外の動作も上記第１の実施の形態と同様であるので、ここでの説明は省略する。
【００６９】
以下、図６を参照して、動画撮影モードが設定されている場合の本形態に係るデジタルカメラ１０の動作について説明する。なお、図６は、モード切替スイッチ５６Ｃにより動画撮影モードが設定されている場合にＣＰＵ３２によって実行される動画撮影モード処理プログラムの処理の流れを示すフローチャートであり、図３と同一の処理を行うステップについては図３と同一のステップ番号を付して、その説明を省略する。
【００７０】
図６に示すように、本形態に係るデジタルカメラ１０において実行される動画撮影モード処理プログラムは、ステップ１２０におけるＡＦ設定処理ルーチンの実行に代えて、ステップ１２１において光学ズーム設定処理ルーチンを実行する点のみが、上記第１の実施の形態に係る動画撮影モード処理プログラムと異なっている。以下、図７を参照して、当該光学ズーム設定処理ルーチンについて説明する。
【００７１】
まず、ステップ３００にて動画撮影を一時的に停止し、次のステップ３０２にてＡＦ動作を行うことにより合焦制御を行う。
【００７２】
次のステップ３０４では、ユーザによってズームスイッチ５６Ｆが操作されたか否かを判定し、肯定判定となった場合はステップ３０６に移行して、ズームスイッチ５６Ｆのテレ・スイッチが操作された場合には光学ズーム倍率を所定値だけ大きくする制御を行い、ワイド・スイッチが操作された場合には光学ズーム倍率を所定値だけ小さくする制御を行うことにより光学ズームによるズーミングを行い、その後にステップ３０８に移行する。なお、上記ステップ３０６による光学ズーム倍率の変更は、デジタルカメラ１０において設定可能な光学ズーム倍率の範囲内で行われることは言うまでもない。
【００７３】
ステップ３０８では、ＡＦ動作を行うことにより合焦制御を行い、その後に上記ステップ３０４に戻る。
【００７４】
一方、上記ステップ３０４において否定判定となった場合、すなわち、ズームスイッチ５６Ｆがユーザによって操作されていない場合にはステップ３１０に移行し、レリーズボタン５６Ａがユーザによって半押し状態とされたか否かを判定し、否定判定となった場合は上記ステップ３０４に戻り、肯定判定となった場合にはユーザにより光学ズームによるズーミング操作が終了したことを示す旨の指示入力が為されたものと見なしてステップ３１２に移行する。
【００７５】
ステップ３１２では上記ステップ３００において停止した動画撮影を再開し、その後に本光学ズーム設定処理ルーチンを終了して動画撮影モード処理プログラムのステップ１１４に移行する。
【００７６】
以上詳細に説明したように、本実施の形態では、音声情報の記録を伴った動画撮影を行っているときに光学ズーム動作の実行指示が入力されたとき、当該動画撮影を一時的に停止し、当該停止期間に上記実行指示に応じた光学ズーム動作を行うように制御しているので、光学ズーム動作を行う際のレンズの駆動に伴う騒音の記録を回避することができる。
【００７７】
また、本実施の形態では、第１操作で撮影準備動作の実行指示を入力する第１入力手段、及び前記第１操作に連続して行われる第２操作で撮影動作の実行指示を入力する第２入力手段を有したレリーズボタン５６Ａの上記第１入力手段を、上記光学ズーム動作の実行指示を入力する手段と兼用にしたので、レリーズボタン５６Ａに対する動画の撮影動作の実行指示を入力するための操作からの連続した操作によって光学ズーム動作の実行指示を入力することができ、当該実行指示を操作性よく、かつ短時間で入力することができる。
【００７８】
特に、本実施の形態では、レリーズボタン５６Ａの上記第１入力手段に対する操作が行われた時点で光学ズーム動作の実行が終了したものと判断しているので、光学ズーム動作の実行終了を、操作性よく、かつ短時間で指示入力することができる。
【００７９】
更に、本実施の形態では、動画撮影に際し、絞り値を撮影条件に応じた最大値とする絞り優先ＡＥ制御が実行されるように制御しているので、被写界深度を最大限に深くすることができ、合焦ずれ量を大幅に抑制することができるため、ＡＦ制御の実行頻度を大幅に低減することができ、この結果として動画撮影の連続撮影期間を長時間化することができる。
【００８０】
なお、本第２の実施の形態では、光学ズーム設定処理ルーチン（図７参照。）において光学ズームのズーム倍率を変更するための制御を行うと共にＡＦ制御を行う場合について説明したが、本発明はこれに限定されるものではなく、ＡＦ制御を行うことなく光学ズームのズーム倍率を変更するための制御のみを行う形態とすることもできる。
【００８１】
すなわち、本実施の形態では、撮影条件に応じた最大の絞り値（絞りが最も絞られた状態）となる絞り優先ＡＥモードにてＡＥ制御を行っているため、被写界深度が可能な限り深くなっており、目立った合焦ずれが生じない場合が多い。この場合には、ＡＦ制御を行うことなく光学ズームによるズーミングのみ行うことが処理負荷を低減させる上で極めて有効である。
【００８２】
また、上記各実施の形態では、ＡＥ制御をシャッター速度と絞り値の設定により行う場合について説明したが、本発明はこれに限定されるものではなく、絞り値の設定に加えてＣＣＤ１４の感度の調整により行う形態とすることもでき、更に、シャッター速度と絞り値の設定に加えてＣＣＤ１４の感度の調整により行う形態とすることもできる。この場合は、シャッター速度の低速化を抑制することができるので、手振れの発生を抑制することができる。
【００８３】
また、上記各実施の形態に係るデジタルカメラ１０の構成（図１、図２参照。）は一例であり、本発明の主旨を逸脱しない範囲内において適宜変更可能であることは言うまでもない。
【００８４】
例えば、上記各実施の形態では、光学ズームによるズーミングを行う際に操作するスイッチとして専用のズームスイッチ５６Ｆを適用した場合について説明したが、十字カーソルボタン５６Ｄ等の、所定の役割を有するスイッチ、ボタン等を兼用して適用するようにしてもよい。なお、この場合は、兼用するスイッチ、ボタン等をデジタルカメラ１０の動作モードを考慮して適用することが操作性の面で好ましい。
【００８５】
また、上記各実施の形態では、本発明の指示入力手段として２段階の押圧操作が可能なレリーズボタン５６Ａを適用した場合について説明したが、他のスイッチ、ボタン等を適用するようにしてもよいことは言うまでもない。
【００８６】
更に、上記各実施の形態において説明した各種処理プログラム（図３、図５〜図７参照。）の処理の流れも一例であり、本発明の主旨を逸脱しない範囲内において適宜変更可能であることは言うまでもない。
【図面の簡単な説明】
【００８７】
【図１】実施の形態に係るデジタルカメラ１０の外観を示す外観図である。
【図２】デジタルカメラ１０の電気系の構成を示すブロック図である。
【図３】第１の実施の形態に係る動画撮影モード処理プログラムの処理の流れを示すフローチャートである。
【図４】実施の形態に係る絞り優先ＡＥモードの説明に供するシャッター速度−絞り値のグラフである。
【図５】第１の実施の形態に係るＡＦ設定処理ルーチンの処理の流れを示すフローチャートである。
【図６】第２の実施の形態に係る動画撮影モード処理プログラムの処理の流れを示すフローチャートである。
【図７】第２の実施の形態に係る光学ズーム設定処理ルーチンの処理の流れを示すフローチャートである。
【符号の説明】
【００８８】
１０    デジタルカメラ
３２    ＣＰＵ（制御手段）
５６Ａ    レリーズボタン（指示入力手段、第１入力手段、第２入力手段、撮影指示入力手段）
５６Ｆ    ズームスイッチ
【図１】
2005080250.tif 000003
【図２】
2005080250.tif 000004
【図３】
2005080250.tif 000005
【図４】
2005080250.tif 000006
【図５】
2005080250.tif 000007
【図６】
2005080250.tif 000008
【図７】
2005080250.tif 000009